(57)【特許請求の範囲】
【請求項１】
機器本体の開口部の中程を境に両側を覆う扉を前記開口部の両端を軸側としてそれぞれ開閉する扉開閉機構において、
前記扉の一方の閉成時に第１係止位置をとり、前記扉の一方の開成時に前記扉の一方を他方から離して開放側から軸側へスライドさせて第２係止位置をとるカム機構を設け、
前記カム機構は、前記第２係止位置で開成時の前記扉を枢支する枢支部を備えるとともに、閉成時の前記扉を前記第１係止位置に位置決めする位置決め部を前記扉の開放側の端部近傍に備えることを特徴とする扉開閉機構。
【請求項２】
前記枢支部は、前記扉を前記第１、第２係止位置に位置決めするとともに前記第１係止位置から前記第２係止位置に案内して前記第２係止位置で枢支するヒンジ部を前記扉の軸側に備え、
前記位置決め部は、前記扉を前記第１係止位置から前記第２係止位置に案内するとともに前記第２係止位置で回動する前記扉を案内するガイド部を備えたことを特徴とする請求項１に記載の扉開閉機構。
【請求項３】
前記第２係止位置で回動する前記扉を案内する補助ガイド部を前記枢支部の近傍に備えたことを特徴とする請求項２に記載の扉開閉機構。
【請求項４】
前記カム機構は、前記扉の開成時に前記扉の回動軸となるヒンジピンと、前記扉の開放側に配されるガイドピンと、前記ヒンジピンを案内して両端部で係止することにより前記カム機構が前記第１、第２係止位置をとるヒンジ溝と、前記第１係止位置から前記第２係止位置に前記ガイドピンを案内するガイド溝と、前記ヒンジピンと同軸の円弧上に沿って配されるリブと、前記第２係止位置で前記リブと摺接する円筒面を有したボスと、を備えたことを特徴とする請求項１〜請求項３のいずれかに記載の扉開閉機構。
【請求項５】
前記第１係止位置の前記ヒンジピンを中心とする円周方向に凹設される円弧部を前記ガイド溝の端部に延設したことを特徴とする請求項４に記載の扉開閉機構。
【請求項６】
前記第１係止位置から前記第２係止位置に相対移動する前記ガイドピンの移動量よりも、前記ガイド溝の該相対移動の方向の長さを長くしたことを特徴とする請求項４に記載の扉開閉機構。
【請求項７】
前記第１係止位置から前記第２係止位置に相対移動する前記ヒンジピンの移動量よりも、前記ヒンジ溝の該相対移動の方向の長さを長くしたことを特徴とする請求項４に記載の扉開閉機構。
【発明の詳細な説明】
【０００１】
【発明の属する技術分野】
本発明は、冷蔵庫の貯蔵室等の開口部の中程を境に両側に開閉する扉開閉機構に関する。
【０００２】
【従来の技術】
従来の両開きの扉開閉機構は、冷蔵庫の貯蔵室等の開口部の中央に仕切板が設けられ、左右の扉が前記仕切板に当接して開口部が閉じられるようになっている。この仕切板は開口部を通して作業する際に邪魔になるため取り外すと、左右の扉間に隙間が生じる。冷蔵庫等は密閉性を必要とするため両扉間の隙間はパッキン等により塞がれるようになっている。
【０００３】
ところが、パッキン等を設けると、一方の扉を開く際に該扉に取付けられたパッキンが他方の扉に取付けられたパッキンに摺動する。このため、摺動による摩擦力によって扉の開閉時に大きな操作力を必要とする問題や、パッキンの破損が発生する問題があった。また、パッキン等を設けない場合であっても、塵埃の侵入防止のために両扉間の隙間を狭くすると、一方の扉の端面が回動する際に他方の扉と干渉する問題があった。
【０００４】
この問題を解決するために、特公昭６０−２４３９０号公報には一方の扉が回動する前に他方の扉から離れる方向に略直線状にスライドする扉開閉機構が開示されている。この扉開閉機構は、開口部の外壁を形成する筐体から手前に突設された受け部に第１回動軸が設けられる。
【０００５】
受け部上にはレバー部材が載置され、第１回動軸にはレバー部材の一端に形成された孔部が嵌合される。レバー部材の他端には第２回動軸が一体に形成され、扉が第２回動軸に枢支されている。また、扉を開くと第１回動軸を中心にレバー部材が回動するように案内部材が設けられ、レバー部材を戻す方向に付勢するバネが設けられている。
【０００６】
扉の一方を開くと、案内部材に案内されてレバー部材が回動し、扉がレバー部材の回動に伴って所定量だけ略直線状にスライドする。これにより扉は他方の扉から離れる。その後、扉が開口部から離れ、案内部材の係合が解除されるとレバー部材はバネの付勢力により元の状態に戻る。そして、第２回動軸を中心に扉が回動して開口部か開放される。
【０００７】
扉を閉じる際には、扉は第２回動軸を中心に筐体の近傍まで回動する。その後バネの付勢力に抗して案内部材が係合を開始し、レバー部材が第１回動軸を中心に回動して扉が他方の扉から離れる方向にスライドする。そして、案内部材に案内されて扉が閉じられるのに応じてレバー部材がバネの付勢力により元の位置に戻り、扉が閉じられる。
【０００８】
【発明が解決しようとする課題】
しかしながら、上記の特公昭６０−２４３９０号公報に開示された扉開閉機構によると、レバー部材は受け部と摺動するため扉の重さに応じた摩擦力が加わる。このため、バネの付勢力を該摩擦力よりも大きくしておく必要がある。その結果、扉を開く際にはレバー部材の摩擦力とバネの付勢力に抗した大きな操作力が必要となり、操作性が悪い問題があった。
【０００９】
また、レバー部材やバネを必要とするため部品点数が多く組立工数も増加する。このため、扉開閉機構のコスト増加や信頼性低下の問題や、信頼性維持のために量産性が低下する問題もあった。
【００１０】
本発明は、操作性を向上することができるとともに、コスト削減、信頼性の向上及び量産性の向上を図ることのできる扉開閉機構を提供することを目的とする。
【００１１】
【課題を解決するための手段】
上記目的を達成するために本発明は、機器本体の開口部の中程を境に両側を覆う扉を前記開口部の両端を軸側としてそれぞれ開閉する扉開閉機構において、前記扉の一方の閉成時に第１係止位置をとり、前記扉の一方の開成時に前記扉の一方を他方から離して開放側から軸側へスライドさせて第２係止位置をとるカム機構を設け、前記カム機構は、前記第２係止位置で開成時の前記扉を枢支する枢支部を備えるとともに、閉成時の前記扉を前記第１係止位置に位置決めする位置決め部を前記扉の開放側の端部近傍に備えることを特徴としている。
【００１２】
この構成によると、カム機構は、扉が閉じたときに第１係止位置をとる。扉を開くとカム機構が第１係止位置から第２係止位置に移動し、それに伴って扉がカム機構により案内されて開放側から軸側へのスライド移動と回転移動とを行う。カム機構が第２係止位置に到達すると扉の回動軸の位置が固定され、扉が回動軸を中心に回動して開口部が開放される。
【００１３】
また、扉を閉じると扉の開放側に配された位置決め部により扉が位置決めされ、カム機構が第１係止位置をとる。
【００１４】
また本発明は、上記構成の扉開閉機構において、前記枢支部は、前記扉を前記第１、第２係止位置に位置決めするとともに前記第１係止位置から前記第２係止位置に案内して前記第２係止位置で枢支するヒンジ部を前記扉の軸側に備え、前記位置決め部は、前記扉を前記第１係止位置から前記第２係止位置に案内するとともに前記第２係止位置で回動する前記扉を案内するガイド部を備えたことを特徴としている。
【００１５】
この構成によると、扉を閉じると扉の軸側に配されたヒンジ部により扉が位置決めされ、カム機構が第１係止位置をとる。扉を開くと扉の軸側に配されたガイド部及び上記ヒンジ部の案内により扉がスライド移動し、ヒンジ部の位置決めによりカム機構が第２係止位置をとる。第２係止位置でヒンジ部により回動軸が支持され、ガイド部により案内されながら扉が回動して開かれる。
【００１６】
また本発明は、上記構成の扉開閉機構において、前記第２係止位置で回動する前記扉を案内する補助ガイド部を前記枢支部の近傍に備えたことを特徴としている。この構成によると、扉を開くとガイド部の案内により第１係止位置から第２係止位置へ扉が回動しながらスライド移動し、第２係止位置でガイド部及び補助ガイド部の案内により扉が回動して開かれる。
【００１７】
また本発明は、上記構成の扉開閉機構において、前記カム機構は、前記扉の開成時に前記扉の回動軸となるヒンジピンと、前記扉の開放側に配されるガイドピンと、前記ヒンジピンを案内して両端部で係止することにより前記カム機構が前記第１、第２係止位置をとるヒンジ溝と、前記第１係止位置から前記第２係止位置に前記ガイドピンを案内するガイド溝と、前記ヒンジピンと同軸の円弧上に沿って配されるリブと、前記第２係止位置で前記リブと摺接する円筒面を有したボスと、を備えたことを特徴としている。
【００１８】
この構成によると、例えば、本体側の一端にヒンジピンが突設され、扉の開放側に対向する本体側にガイドピンがヒンジピンと平行に突設される。扉にはヒンジピンに遊嵌される長孔状のヒンジ溝と、ガイドピンに遊嵌されるガイド溝とが凹設される。扉を閉じた状態ではヒンジ溝の一端でヒンジピンが係止され、ガイド溝の一端でガイドピンが係止されてカム機構は第１係止位置をとる。扉を開き始めると、ヒンジピンがヒンジ溝に案内される。この時、ガイドピンとガイド溝とが係合して扉が回り止めされ、ガイドピンがガイド溝に案内されて扉が回動しながらスライドする。これにより、ヒンジ溝の他端にヒンジピンが係止され、カム機構は第２係止位置をとる。また、本体側にはヒンジピンと同心の例えば円筒状の凹面を有するリブが突設され、リブと第２係止位置で摺接する円筒面を有するボスが扉側に設けられる。扉が更に開かれると、ボスの周面がリブの凹面に摺接してヒンジピンがヒンジ溝の他端に固定され、第２係止位置でヒンジピンを回動軸として扉が回動する。この時、ガイドピンは扉の回動を阻害しない方向に逃げるように、例えばガイド溝に逃げ部が設けられる。尚、ヒンジピンとヒンジ溝、ガイドピンとガイド溝、リブとボスのそれぞれの組み合わせにおいて、本体側及び扉側の一方と他方に設けられていればいずれに設けてもよい。
【００１９】
また本発明は、上記構成の扉開閉機構において、前記第１係止位置の前記ヒンジピンを中心とする円周方向に凹設される円弧部を前記ガイド溝の端部に延設したことを特徴としている。この構成によると、ヒンジピンが前記第１係止位置に到達した際に、カム機構の寸法誤差によってガイドピンがガイド溝の一端に到達しない場合であってもガイドピンが円弧部に案内されて相対移動し、扉の開放側を本体側へ更に回動させて扉が確実に閉止される。
【００２０】
また本発明は、上記構成の扉開閉機構において、前記第１係止位置から前記第２係止位置に相対移動する前記ガイドピンの移動量よりも、前記ガイド溝の該相対移動の方向の長さを長くしたことを特徴としている。この構成によると、カム機構に寸法誤差があってもガイドピンを前記第１係止位置に到達させることができ、両扉間及び扉と本体との間が確実に閉止される。
【００２１】
また本発明は、上記構成の扉開閉機構において、前記第１係止位置から前記第２係止位置に相対移動する前記ガイドピンの移動量よりも、前記ガイド溝の該相対移動の方向の長さを長くしたことを特徴としている。この構成によると、カム機構に寸法誤差があってもヒンジピンを前記第１係止位置に到達させることができ、両扉間及び扉と本体との間が確実に閉止される。
【００２２】
【発明の実施の形態】
以下に本発明の実施形態を図面を参照して説明する。図１は一実施形態の扉開閉機構を示す上面断面図である。冷蔵庫等の本体側には筐体１に外壁を形成された開口部１ａが設けられる。開口部１ａは中程を境に左側を左扉２に覆われ、右側を右扉３に覆われている。左扉２及び右扉３の一端には使用者が把持する把手４、５が設けられている。
【００２３】
左扉２及び右扉３の他端は後述するようにカム機構により左扉２及び右扉３に対して相対的にスライド移動する回動軸１ｂ、１ｃに枢支され、把手４、５を把持して両側に開くようになっている。また、左扉２と右扉３との間の隙間にはそれぞれパッキン６、７が取付けられている。パッキン６、７内には磁石（不図示）が埋め込まれ、互いに吸引して該隙間を密閉するようになっている。
【００２４】
左扉２及び右扉３は、前面を覆うドアプレート４９、５０と背面側に設けられるドアバック４７、４８とを、上下に配されるドアキャップ５５、５６（図３参照）及び側面に配される側面板（不図示）により連結して周囲を塞がれる。そして、内部にウレタン発泡剤を注入した後、加熱して発泡ウレタン樹脂が充填される。これにより、本体部の内部を断熱隔離する。
【００２５】
図２、図３は左扉２及び右扉３の要部を示す上面図及び背面図である。ドアバック４７の一方の側方、上方及び他方の側方にはそれぞれパッキン４１、４２、４３が取り付けられる。パッキン４１、４２、４３は両端を斜めに切断され、互いに熱溶着して一体化されている。図示しないが、ドアバック４７の下方にもパッキンが取り付けられ、パッキン４１、４２、４３を上下方向に反転した状態になっている。
【００２６】
同様に、ドアバック４８の周囲にもパッキン４４、４５、４６（４４は図１参照）及び下方のパッキン（不図示）が一体化して取り付けられる。左扉２及び右扉３を閉じると、ドアバック４７、４８が開口部１ａ（図１参照）の内部に侵入してパッキン４１〜４６が筐体１（図１参照）と当接する。パッキン４１〜４６には可撓性の磁石（不図示）が埋め込まれ、本体側の筐体１を吸引して左扉２及び右扉３と筐体１との密閉状態が保持されるようになっている。
【００２７】
カム機構は左扉２の上部、左扉２の下部、右扉３の上部及び右扉３の下部の４箇所に同様の構造で設けられる。図４は、左扉２の下部に配されるカム機構の一部を示す正面断面図である。カム機構は、左扉２と筐体１とに設けられた部材から成り、左扉２には軸側に配されるスライドカム部材８と、開放側に配されるガイドカム５３（図５参照）とが取付けられる。筐体１にはスライドカム部材８と係合するロックカム組品３２と、ガイドカム５３と係合するガイドピン５１（図５参照）とが取付けられる。
【００２８】
スライドカム部材８は樹脂成形品から成っており、上面にボス８ａ、８ｂが突設され、貫通するネジ孔８ｃ、８ｄが形成されている。ボス８ａ、８ｂを左扉２の下面に設けられたボス孔（不図示）に嵌合し、ネジ孔８ｃ、８ｄに図中、下方からタッピングネジ（不図示）を挿通してスライドカム部材８が左扉２の下面に取付けられている。また、スライドカム部材８には、後述するロック部材１６を位置決めするボス孔８ｆが形成されている。
【００２９】
ロックカム組品３２はロックカム部材１８とアングル２２とがネジ３１により一体化され、スライドカム部材８と係合してカム機構の一部を構成する。ロックカム部材１８は樹脂成形品から成り、アングル２２は左扉２の重量を支えるため金属部材から成っている。
【００３０】
アングル２２には３箇所にネジ孔２２ａが形成されている。ネジ孔２２ａにタッピングネジを挿通してアングル２２、即ちロックカム組品３２が筐体１に取付けられている。また、例えばステンレス鋼等の金属から成るヒンジピン２３、ロックピン２４及び補助ガイドピン２５がそれぞれかしめてアングル２２に一体化されている。ヒンジピン２３、ロックピン２４、補助ガイドピン２５はロックカム部材１８をそれぞれ貫通し、図中、上方に突出している。
【００３１】
ヒンジピン２３の底部には台座部２３ａが同心に形成されている。スライドカム部材８に突設されるボス１０の底面１０ｂは左扉２の閉止時に台座部２３ａ上に乗っている。ボス１０には、底面１０ｂに対して下方に突出する段差部１０ｃが形成されている。段差部１０ｃの内周側は台座部２３ａに沿って形成され、台座部２３ａの周部に接して面取りされている。
【００３２】
カム機構の平面図を図５に示す。同図は左扉２を閉じた状態を示しており、筐体１側に取り付けられる部材には斜線を付している。スライドカム部材８には、ロック部材１６が取り付けられている。ロック部材１６は樹脂成形品から成り、上面に突設されたボス（不図示）をスライドカム部材８の下面に設けられたボス孔８ｆ（図４参照）に嵌合し、タッピングネジ（不図示）等により取付けられている。
【００３３】
ロック部材１６の一端にはアーム部１６ａが延設されている。アーム部１６ａは、延びた方向に略垂直な方向の荷重に対して弾性変形するようになっている。アーム部１６ａの端部にはロックピン２４と係合する係合部１６ｂが設けられている。ロック部材１６の他端には、ロックカム部材１８（図４参照）に形成されたストッパ１８ｅに当接して左扉２の回動を規制する規制部１６ｃが設けられている。
【００３４】
スライドカム部材８の一端の下面には、長孔状のヒンジ溝９が凹設されている。ヒンジ溝９の周囲には、後述する第２係止位置の時のヒンジピン２３を中心とした円筒面１０ａを有するボス１０が突設されている。
【００３５】
ヒンジピン２３の周囲のロックカム部材１８には、ヒンジピン２３と同心の円筒状の凹面１９ａを有するリブ１９が突設されている。ヒンジ溝９よりも開口部１ａ（図１参照）の中央側にはＬ字型に屈曲した補助ガイド溝１１が凹設されている。補助ガイド溝１１は後述する第１係止位置から第２係止位置まで補助ガイドピン２５を相対的に案内する案内部１１ａと、第２係止位置で補助ガイドピン２５を相対的に逃がす逃げ部１１ｂとを有している。
【００３６】
左扉２の開放側に取り付けられるガイドカム５３は樹脂成形品から成り、屈曲したガイド溝５２が形成されている。筐体１にはガイド溝５２に係合する例えばステンレス製のガイドピン５１がアングル（不図示）に支持されて取り付けられている。
【００３７】
ガイド溝５２は後述する第１係止位置から第２係止位置までガイドピン５１を相対的に案内する案内部５２ａと、第２係止位置でガイドピン５１を相対的に逃がす逃げ部５２ｂと、案内部５２ａの端部から第１係止位置のヒンジピン２３を中心とする円周方向に延設される円弧部５２ｃとを有している。
【００３８】
次に、図５〜図８を参照して、左扉２の下部のカム機構の動作を説明する。他のカム機構についても同様の動作が行われる。尚、これらの図においてカム機構の各部位は本来破線で表すべきであるが、便宜上実線で示している。また、斜線部分は前述したように筐体１側に配される部材を示している。
【００３９】
前述したように、図５は左扉２が閉じた状態を示している。左扉２の閉止状態ではヒンジ溝９の一端にヒンジピン２３が係止され、カム機構は第１係止位置をとる。第１係止位置では、ガイドピン５１はガイド溝５２の案内部５２ａの端部に配置されている。また、補助ガイドピン２５は補助ガイド溝１１の案内部１１ａの端部に配置されている。
【００４０】
ガイド溝の円弧部５２ｃは第１係止位置のヒンジピン２３を中心とする円弧上に形成されているので、第１係止位置でヒンジピン２３を回動軸として左扉２は閉じる方向に回動することができる。従って、第１係止位置の左扉２を確実に閉じることができる。この時、補助ガイド溝１１の案内部１１ａと補助ガイドピン２５とが当接して左扉２の回動を規制しないように、第１係止位置の時にガイドピン２５と案内部１１ａとの間には溝の長手方向及び幅方向の隙間Ａ１、Ａ２が設けられている。
【００４１】
ロックピン２４はロック部材１６の係合部１６ｂと係合し、アーム部１６ａの弾性力により左扉２が右扉３（図１参照）の方向に付勢されている。これにより、左扉２と右扉３との間の所定量の隙間を確実に保持するとともに、ヒンジピン２３とヒンジ溝９との間の嵌合のための隙間による左扉２の遊動を防止する。従って、カム機構が第１係止位置の状態を保持するとともに左扉２の閉止密閉状態をより確実にしている。
【００４２】
把手４（図１参照）を把持して左扉２が開き始めると、左扉２は開成に伴い回動するが、ガイド溝５２の案内部５２ａがガイドピン５１と係合するため、第１係止位置のままではヒンジピン２３を軸として回動することができない。このため、ヒンジピン２３が相対的にヒンジ溝９に案内されるとともにガイドピン５１が案内部５２ａに案内される。また、補助ガイド溝１１の案内部１１ａに設けられた隙間Ａ２により補助ガイドピン２５の相対移動が規制されないようになっている。
【００４３】
これにより、左扉２は回動しながら右扉３から離れる方向（図中、左方向）へスライド移動する。従って、左扉２に設けられたパッキン６は右扉３に設けられたパッキン７から離れ、パッキン６、７の摺動を回避して損傷を防止するとともに、摺動摩擦の低減によって開成の操作力が軽減される。
【００４４】
この時、ボス１０の段差部１０ａ（図４参照）が台座部２３ａ（図４参照）に乗り上げて左扉２が持ち上げられる。従って、把手４を引く操作力が働いた場合にのみ左扉２を開くことができ、パッキン４１〜４３の弾性力によって閉止状態から容易に左扉２が開かれないようになっている。
【００４５】
また、ロック部材１６のアーム部１６ａは弾性変形してロックピン２４と係合部１６ｂとの係合解除が開始される。この時に把手４を離すと、アーム部１６ａの弾性力により左扉２は図５の状態に戻る。従って、ロック部材１６とロックピン２４により自閉機能を有し、左扉２を確実に閉じることができるようになっている。
【００４６】
左扉２が回動しながらスライド移動していくと、図６に示すようにヒンジピン２３がヒンジ溝９の他端に係止され、カム機構は第２係止位置をとる。また、ボス１０の円筒面１０ａがリブ１９の凹面１９ａに沿って摺動を開始する。
【００４７】
この時、ガイドピン５１、補助ガイドピン２５はそれぞれガイド溝５２及び補助ガイド溝１１の案内部５２ａ、１１ａと逃げ部５２ｂ、１１ｂとの交差位置に配される。ガイド溝５２及び補助ガイド溝１１の逃げ部５２ｂ、１１ｂは第２係止位置でのヒンジピン２３を中心とする円弧状に形成され、ガイドピン５１及び補助ガイドピン２５を相対的に逃がすとともに左扉２の回動を案内し、第２係止位置を確実に保持するようになっている。
【００４８】
更に左扉２を開くと、図７に示すように、ボス１０の円筒面１０ａがリブ１９の凹面１９ａの２箇所で摺動し、ボス１０がヒンジ溝９の長手方向に移動できなくなる。これにより、カム機構は第２係止位置の状態を保持し、左扉２が枢支される。リブ１９の凹面１９ａはボス１０を案内できればよいので、リブ１９に替えて例えばヒンジピン２３と同心の円弧上に配列された複数のピン等によって形成してもよい。
【００４９】
また、ガイド溝５２がガイドピン５１を相対的に案内してカム機構が第２係止位置を保持しながら左扉２が回動する。補助ガイド溝１１の案内部１１ａには、補助ガイドピン２５との間に隙間Ａ１、Ａ２（図５参照）が設けられているため、ガイド溝５２の逃げ部５２ｂとガイドピン５１との係合よりも後に補助ガイド溝１１の逃げ部１１ｂと補助ガイドピン２５との係合が開始される。
【００５０】
更に左扉２を開くと、図８に示すように、ガイド溝５２とガイドピン５１との係合が解除される。その後、カム機構は、補助ガイド溝１１が補助ガイドピン２５を相対的に案内して第２係止位置を保持し、左扉２が回動する。また、ロックピン２４とロック部材１６との係合が解除される。
【００５１】
ここで、ガイドカム５３やガイドピン２５の取り付け誤差やガイドカムの寸法誤差により、ガイドピン５１と補助ガイドピン２５との距離と、対応する位置の逃げ部１１ｂ、５１ｂ間の距離とが一致しない場合がある。この時、ガイド溝５２とガイドピン５１との係合と、補助ガイド溝１１と補助ガイドピン２５との係合とが同時に生じている期間は、該誤差により例えばガイド溝５２とガイドピン５１との摺動摩擦が大きくなってスムーズに左扉２を開くことができなくなる。
【００５２】
このため、逃げ部５２ｂとガイドピン５１とが係合している期間は、逃げ部１１ｂと補助ガイドピン２５との隙間を大きくし、逃げ部５２ｂとガイドピン５１との係合が解除された後の期間は逃げ部１１ｂと補助ガイドピン２５との隙間を小さくしている。逃げ部１１ｂと補助ガイドピン２５の隙間を可変して取り付け誤差の影響を回避することによって、左扉２をスムーズに回動させることができる。
【００５３】
尚、逃げ部１１ｂと補助ガイドピン２５の係合が開始される前の逃げ部５２ｂとガイドピン５１との隙間を小さくし、逃げ部１１ｂと補助ガイドピン２５の係合が開始された後の逃げ部５２ｂとガイドピン５１との隙間を大きくしても同様の効果を得ることができる。
【００５４】
そして、更に左扉２が開放されるとロック部材１６の規制部１６ｃがロックカム部材１８（図４参照）に形成されたストッパー１８ｅと当接し、左扉２の回動の範囲が規制される。また、以上に説明した図５〜図８に示す動作と逆の動作により左扉２を閉じることができる。
【００５５】
本実施形態によると、左扉２を開き始めた際にカム機構が第１係止位置から第２係止位置に移動して左扉２が回動しながらスライド移動するため、左扉２は右扉３から離れ、パッキン６、７（図１参照）の摺動を回避することができる。従って、パッキン６、７の摺動摩擦が発生しないため左扉２の開閉に大きな力を必要とせず、扉開閉機構の操作性を向上することができる。パッキン６、７を設けない場合に左扉２と右扉３との隙間を狭くしても、回動に伴う左扉２の端部と右扉３との干渉を防止することができる。
【００５６】
また、カム機構により案内して左扉２をスライド移動させるため、従来例のようにスライド移動を元に戻すバネを必要とせず部品点数を削減することができる。更に、扉の重量は枢支軸に加わるため接触面積が狭く摺動摩擦が小さくなるとともに弾性力の強いバネを必要としないため、扉開閉に要する操作力を小さくすることができ操作性を更に向上することができる。
【００５７】
また、第１係止位置から第２係止位置へのスライド移動を案内するガイドピン５１及びガイドカム５３は左扉２の開放側に設けられる。ガイド溝５２の案内部５２ａの長手方向Ｃ１（図５参照）と、把手４を引く操作力の加わる方向Ｃ２（図５参照）との成す角度θ（図５参照）は、ガイドピン５１及びガイドカム５３を軸側に配置したときよりも小さくなる。このため、ガイドピン５１とガイド溝５２との摺動摩擦が低減され、扉開閉時の操作力を小さくして扉開閉機構の操作性を向上させることができる。
【００５８】
また、左扉２の軸側に設けたヒンジピン２３によりヒンジ溝９の係止されるとともに、開放側に設けたガイドピン５１とガイド溝５２とが係合してカム機構が第１係止位置に位置決めされている。ガイドピン５１やガイドカム５３の取り付け誤差やガイドカム５３の寸法誤差があると、ガイドピン５１が案内部５２ａの端部に配された際に左扉２が所定の閉止位置よりも開いた状態になる場合がある。
【００５９】
ガイドピン２５及びガイドカム５３を軸側に設けると、その位置では左扉２が該誤差分だけ開くが、左扉２の開放側では開く量が拡大される。しかし、ガイドピン５１及びガイドカム５３が左扉２の開放側に設けられるので、開放側での開く量は該誤差に略等しく、軸側に設けた場合よりも減少する。このため、該誤差により所定の閉止位置よりも開いた分はパッキン４１〜４３により吸収することができ、密閉状態を確実に保持することができる。
【００６０】
この時、前述したように、ガイド溝５２に円弧部５２ｃ（図５参照）を設けることにより、該誤差があっても第１係止位置で更に左扉２を閉止方向に回動させることができ、左扉２の密閉状態をより確実にすることができる。
【００６１】
また、円弧部５２ｃに替えて案内部５２ａを案内部５２ａの長手方向Ｃ１に延長して形成してもよい。即ち、第１係止位置から第２係止位置へ相対移動するガイドピン５１の移動距離よりも案内部５２ａの長手方向の距離を長くすることにより、通常は第１係止位置のガイドピン５１とガイド溝５２との間には案内部５２ａの長手方向Ｃ１の隙間が形成される。
【００６２】
これにより、ガイドピン５１やガイドカム５３の取り付け誤差やガイドカム５３の寸法誤差があっても、該隙間分だけ左扉２は右扉３の方向及び前後方向に移動してヒンジピン２３を所定の第１係止位置に到達させることができる。このため、左扉２と筐体１との密閉状態を確実にすることができるとともに、右扉３との間隔を所定の間隔に維持することができる。
【００６３】
更に、図５において破線Ｂ１で示すように、ヒンジ溝９を長手方向に延長して形成してもよい。即ち、第１係止位置から第２係止位置へ相対移動するヒンジピン２３の移動距離よりもヒンジ溝９の長手方向の距離を長くすることにより、通常は第１係止位置のヒンジピン２３とヒンジ溝９との間にはヒンジ溝９の長手方向の隙間が形成される。この時の第１係止位置は、図中、略左右方向はガイドピン５１とガイド溝５２との係合により位置決めされ、略前後方向はヒンジピン２３とヒンジ溝９との係合により位置決めされる。
【００６４】
これにより、ガイドピン５１やガイドカム５３の取り付け誤差やガイドカム５３の寸法誤差があっても、該隙間分だけ左扉２は右扉３の方向及び前後方向に移動することができる。このため、左扉２と筐体１との密閉状態を確実にすることができるとともに、右扉３との間隔を所定の間隔に維持することができる。尚、この時にヒンジピン２３は所定の第１係止位置に配されず、カム機構の第１係止位置は、パッキン４１〜４３及びパッキン６、７の弾性力とこれらのパッキン内に配された磁石による磁力とが釣り合う位置になる。
【００６５】
以上において左扉２の動作について説明しているが、右扉３についても左扉２と同様のカム機構を有しているので上記と同様の効果を得ることができる。また、ヒンジピン２３とヒンジ溝９、ガイドピン５１とガイド溝５２、リブ１９とボス１０、補助ガイドピン２５と補助ガイド溝１１のそれぞれの組み合わせにおいて、筐体側及び扉側の一方と他方に設けられていればいずれに設けてもよい。
【００６６】
また、本実施形態は中央部から開閉される扉について説明しているが、開口部の前面に配される１枚の扉により開口部を開閉する扉開閉機構であってもよい。即ち、扉の開く側に壁面や床面等がある場合に、扉の開放に伴って扉がスライド移動して壁面等から離れることにより扉の端部と壁面等との干渉を防止することができる。これにより、扉の開閉が容易となる。
【００６７】
更に、扉の開閉方向が左右方向だけでなく、上下方向に開閉する扉や水平面を開閉する扉の場合でも同様の効果が得られ、車のダッシュボードのように軽量なふたの場合にも適用することができる。
【００６８】
【発明の効果】
本発明によると、前記扉の一方の閉成時に第１係止位置をとり、前記扉の一方の開成時に前記扉の一方を他方から離して開放側から軸側へスライドさせて第２係止位置をとるカム機構を設け、前記カム機構は、前記第２係止位置で開成時の前記扉を枢支する枢支部を備える。このため、両開きの扉の場合には扉が他方の扉から離れ、両扉間に配されたパッキン等の摺動を回避することができる。
【００６９】
従って、パッキンの摺動摩擦が発生しないため扉の開閉に大きな力を必要とせず、操作性を向上することができる。パッキン等を設けない場合に防塵等のために両扉の隙間を狭くしても、回動に伴う一方の扉の端部と他方の扉との干渉を防止することができる。
【００７０】
また、カム機構により案内して扉をスライド移動させるため、従来例のようにスライド移動を元に戻すバネを必要とせず部品点数を削減することができる。更に、扉の重量は枢支軸に加わるため接触面積が狭く摺動摩擦が小さくなるとともに弾性力の強いバネを必要としないため、扉開閉に要する操作力を小さくすることができ操作性を更に向上することができる。
【００７１】
また、第１係止位置に位置決めする位置決め部や第１係止位置から第２係止位置に案内するガイド部を扉の開放側に配することができる。位置決め部を扉の開放側に配することにより、カム機構の取り付け誤差や寸法誤差があっても該誤差により扉の開放側での開く量を位置決め部を軸側に設けた場合よりも減少させることができる。従って、扉の密閉状態を確実に保持することができる。
【００７２】
更に、ガイド部を扉の開放側に配し、第２係止位置で扉を枢支するヒンジ部を軸側にすることにより、ガイド部の案内方向と、扉を開く操作力の加わる方向との成す角度がガイド部を軸側に配置する場合よりも小さくなる。このため、ガイド部の摺動摩擦が低減され、扉開閉時の操作力を小さくして扉開閉機構の操作性を向上させることができる。
【００７３】
また本発明によると、ヒンジ溝によりヒンジピンを案内するとともにガイド溝によりガイドピンを案内してカム機構が第１係止位置から第２係止位置に移動し、第２係止位置でリブとボスとを摺動させることにより、扉の開成時に第１係止位置から第２係止位置にスライドして第２係止位置で扉を枢支するカム機構を容易に実現することができる。
【００７４】
また本発明によると、第１係止位置のヒンジピンを中心とする円周方向に凹設される円弧部をガイド溝の端部に延設することにより、カム機構の取り付け誤差や寸法誤差があっても第１係止位置で更に扉を閉止方向に回動させることができ、扉の密閉状態をより確実にすることができる。
【００７５】
また本発明によると、第１係止位置から第２係止位置に相対移動するガイドピンまたはヒンジピンの移動量よりも、ガイド溝またはヒンジ溝の該相対移動の方向の長さを長くすることにより、カム機構の取り付け誤差や寸法誤差があっても、扉は他方の扉の方向及び前後方向に移動してヒンジピンを所定の第１係止位置に到達させることができる。このため、扉と本体との密閉状態を確実にすることができるとともに、他方の扉との間隔を所定の間隔に維持することができる。
【図面の簡単な説明】
【図１】    本発明の実施形態の扉開閉機構を示す上面断面図である。
【図２】    本発明の実施形態の扉開閉機構の要部を示す上面図である。
【図３】    本発明の実施形態の扉開閉機構の要部を示す背面図である。
【図４】    本発明の実施形態の扉開閉機構のカム機構の一部を示す正面断面図である。
【図５】    本発明の実施形態の扉開閉機構のカム機構の動作を示す平面図である。
【図６】    本発明の実施形態の扉開閉機構のカム機構の動作を示す平面図である。
【図７】    本発明の実施形態の扉開閉機構のカム機構の動作を示す平面図である。
【図８】    本発明の実施形態の扉開閉機構のカム機構の動作を示す平面図である。
【符号の説明】
１    筐体
１ａ  開口部
２    左扉
３    右扉
４、５  把手
６、７、４１〜４６  パッキン
８    スライドカム部材
９    ヒンジ溝
１０    ボス
１１    補助ガイド溝
１６    ロック部材
１８    ロックカム部材
１９    リブ
２３    ヒンジピン
２４    ロックピン
２５    補助ガイドピン
３２    ロックカム組品
４７、４８  ドアバック
４９、５０  ドアプレート
５１    ガイドピン
５２    ガイド溝
５３    ガイドカム
【図１】
0004265727.tif 000002
【図２】
0004265727.tif 000003
【図３】
0004265727.tif 000004
【図４】
0004265727.tif 000005
【図５】
0004265727.tif 000006
【図６】
0004265727.tif 000007
【図７】
0004265727.tif 000008
【図８】
0004265727.tif 000009